(57)【要約】【課題】レーザ光による有彩色の画像の形成が容易に行える光ディスクおよび画像形成方法を提供する。【解決手段】光ディスクが、基板の主面上に形成された着色層と、前記着色層上に形成され、かつレーザ光の照射で除去または透明化される不透明の被覆層と、を具備する。被覆層にレーザ光を集光させ、走査して除去または透明化することで、着色層を現し画像を形成することができる。【選択図】図１
2005339642.tif 000002
【特許請求の範囲】
【請求項１】
情報を記録、再生する記録層を有する基板と、
前記基板の主面上に形成された着色層と、
前記着色層上に形成され、かつレーザ光の照射で除去または透明化される不透明の被覆層と、
を具備することを特徴とする光ディスク。
【請求項２】
前記着色層が異なる色彩を有する複数の領域に区分される
ことを特徴とする請求項１記載の光ディスク。
【請求項３】
前記複数の色彩が加色混合の３原色である
ことを特徴とする請求項１記載の光ディスク。
【請求項４】
前記領域の境界が前記光ディスクの径方向または周方向に沿って配置される
ことを特徴とする請求項１記載の光ディスク。
【請求項５】
基板の主面上に形成された着色層と、前記着色層上に形成される不透明の被覆層と、を有する光ディスクを回転する回転ステップと、
前記回転している光ディスクの被覆層にレーザ光を集光させて被覆層の一部を除去または透明化する被覆層除去ステップと、
を具備することを特徴とする画像形成方法。
【発明の詳細な説明】
【技術分野】
【０００１】
本発明は、レーベル面に画像を形成する光ディスクおよび画像形成方法に関する。
【背景技術】
【０００２】
光ディスクのレーベル面には光ディスクの記録内容等、光ディスクを互いに識別する画像（文字も含む）を表示するのが通例である。
ここで、熱または光によって変色する変色層を有する光ディスクにレーザ光を照射して光ディスクのレーベル面に画像を形成する技術が公開されている（特許文献１参照）。
【特許文献１】特開２００４−００５８４８
【発明の開示】
【発明が解決しようとする課題】
【０００３】
しかしながら、従来はレーザ光によって濃淡の画像を形成するに過ぎず、光ディスクに有彩色の画像を形成することは困難であった。
上記に鑑み、本発明はレーザ光による有彩色の画像の形成が容易に行える光ディスクおよび画像形成方法を提供することを目的とする。
【課題を解決するための手段】
【０００４】
上記目的を達成するために、本発明に係る光ディスクは、情報を記録、再生する記録層を有する基板と、前記基板の主面上に形成された着色層と、前記着色層上に形成され、かつレーザ光の照射で除去または透明化される不透明の被覆層と、を具備することを特徴とする。
被覆層にレーザ光を集光させて除去または透明化することで、着色層を現すことができる。このとき、集光位置をスキャンすることで光ディスクに画像を形成することができる。
【発明の効果】
【０００５】
以上説明したように、本発明によれば有彩色の画像の形成が容易に行える光ディスクおよび画像形成方法を提供できる。
【発明を実施するための最良の形態】
【０００６】
以下、図面を参照して、本発明の実施の形態を詳細に説明する。
（第１の実施の形態）
図１は本発明の第１実施形態に係る光ディスク１００を表す上面図である。ここで、図１では光ディスク１００のコーティング膜１２４の一部を除去し、インク層１２３を露出させた状態を表している。図２は、光ディスク１００のインク層１２３を拡大した状態を表す上面図である。また、図３は、光ディスク１００の断面を表す断面図である。
【０００７】
光ディスク１００は、円形の外周１０１、およびチャッキングのための円形の開口１０２を有する。光ディスク１００の上下の主面は、データ面１１１，レーベル面１１２に区分される。光ディスク１００には、データ面１１１から順に、基板１２１，記録層１２２，インク層１２３，コーティング層１２４が、順に配置される。
【０００８】
データ面１１１は、記録層１２２への記録、再生のためのレーザ光が入射される面である。光ディスク１００への情報の記録、再生時にはデータ面１１１に入射されたレーザ光が基板１２１を透過し記録層１２２に入射することで、光ディスク１００への情報の記録、再生が行われる。この記録層１２２には、光ディスク１００の回転中心を中心とするリング状（または、螺旋状）のトラックが形成され、情報の記録再生はこのトラックに対して行われる。
【０００９】
レーベル面１１２は、光ディスク１００を識別するための画像が形成される面である。後述するように、レーベル面１１２にレーザ光が集光され、コーティング層１２４の一部を除去することでレーベル面１１２への画像の形成が行われる。
基板１２１は、透光性のある材料、例えば、ポリカーボネートが用いられる。
記録層１２２は情報記録用のレーザ光が入射されることで、光の反射率が変化する材料によって形成される。
【００１０】
着色層たるインク層１２３は、異なる色彩の領域に区分される。本実施形態では光ディスク１００の円周方向（トラック方向）に帯状にＣ（シアン）、Ｍ（マゼンタ）、Ｙ（イエロー）の３原色のインクが順に配置され、領域の境界が円周方向に沿っている。
但し、色数や分布はこれに限られるものではない。３原色に変えて４つ以上の異なる色彩のインクを用いると中間色の表示が容易になる。また、帯状以外のモザイク状等の分布を用いることも可能である。
【００１１】
Ｃ（シアン）、Ｍ（マゼンタ）、Ｙ（イエロー）は減色混合の３原色であるが、これに替えて加色混合の３原色であるＲ（赤）、Ｇ（緑）、Ｂ（青）を用いることが可能である。平面上に異なる色彩の領域が互いに分離して存在する本実施形態では、Ｒ（赤）、Ｇ（緑）、Ｂ（青）を用い、これらを加色混合することで種々の中間色を表すことができる。
インク層１２３は、レーザ光によって除去されにくい材料を用いる。具体的には、Ｃ（シアン）、Ｍ（マゼンタ）、Ｙ（イエロー）それぞれとして、
なお、例えば、Ｃ（シアン）、Ｍ（マゼンタ）、Ｙ（イエロー）の３色の帯を１組として、これらの組を互いに分離するための領域を配置することもできる。図２にはそのような分離のための領域を含む例が表されている。
【００１２】
被覆層たるコーティング膜１２４は白色であり、インク層１２３が目視されないように覆っている。このコーティング層１２４は、レーザ光の集光によって除去または透明化される材料を用いる。例えば、コーティング層１２４に光や熱によって気化する材料を用いると、コーティング層１２４をレーザ光の集光で除去できる。また、コーティング層１２４に熱や光によって結晶化するアモルファス材料を用いると、レーザ光の集光によってコーティング層１２４がアモルファス状態（光を散乱することから不透明）から結晶化状態（光の散乱が比較的少ないことから、ある程度透明）に変化することで、透明度が向上する。
【００１３】
レーザ光によってコーティング層１２４を部分的に除去または透明化することでインク層１２３が現れ、レーベル面への多色での画像形成が可能となる。コーティング層１２４を点状（ドット）に除去すると、その箇所でのインク層１２３が目視可能となる。この結果、レーベル面１１２上にＣ，Ｍ，Ｙの点からなる画像を形成できる。Ｃ，Ｍ，Ｙの帯の幅が充分に狭ければ、点状のＣ，Ｍ，Ｙを近接して配置するのが可能となり、混色による中間色の表示が可能となる。
【００１４】
（光ディスクへの画像の形成）
次に光ディスク１００のレーベル面に画像を形成する方法につき説明する。
Ａ．画像形成装置
図４は光ディスク１００のレーベルへの画像の形成を行う画像形成装置２００の構成を示すブロック図である。なお、画像形成装置２００には光ディスク１００の記録層１２２への情報の書き込みを行う光ディスク記録装置を用いることも可能である。
画像形成装置２００は、ディスク保持部２２１、スピンドルモータ２２２、光ピックアップヘッド２３０、制御部２４３、ドライバ回路２４４，２４５、およびフィードモータ２４６を有する。なお、受光素子等、記録層１２２への記録時には必要でも、レーベル面１１２への画像の形成には必ずしも必要ではないものは記載を省略している。
【００１５】
ディスク保持部２２１は、光ディスク１００を保持する。
スピンドルモータ２２２は、ディスク保持部２２１ひいては光ディスク１００を回転させるモータであり、ディスクを回転させるディスク回転部として機能する。
【００１６】
光ピックアップヘッド２３０は、対物レンズ２３１、アクチュータ２３２、発光素子２３３を有する。
【００１７】
対物レンズ２３１は、光ディスク１００に対向し、光ディスク１００に発光素子２３３からのレーザ光を集光するためのレンズである。対物レンズ２３１で集光されたレーザ光が光ディスク１００のレーベル面１１２のコーティング膜１２４上に集光することで、この集光点のコーティング膜１２４が除去または透明化され、インク層１２３が露出する（目視可能となる）ことで光ディスク１００のレーベル面１１２への画像の形成が行える。
【００１８】
アクチュータ２３２は、ドライバ回路２４４によって駆動され、対物レンズ２３１を光ピックアップヘッド２３０内で移動させることで、集光点を光ディスク１００の厚み方向および半径方向に移動するための移動機構である。厚み方向の移動はコーティング膜１２４への集光（焦点合わせ）のためであり、径方向への移動は集光箇所の径方向移動のためである。この径方向への移動は、後述のフィードモータ２４６による光ピックアップヘッド２３０全体の移動に対して、集光点の位置の微調として位置づけることができる。
【００１９】
発光素子２３３には、光を出射する光学素子であり、レーザダイオード（ＬＤ）等のレーザ光源を利用できる。発光素子２３３から出射されるレーザ光はコーティング膜１２４を除去または透明化可能で、インク層１２３に不必要なダメージを与えない波長、光強度とすることが好ましい。
【００２０】
制御部２４３は、フィードモータ２４６およびアクチュータ２３２の少なくともいずれかを用いて、コーティング膜１２４への集光（焦点合わせ）、および集光を光ディスク１００の径方向に移動させる集光箇所移動制御手段として機能する。
【００２１】
ドライバ回路２４４は、制御部２４３から出力された電圧値に応じた電流値をアクチュータ２３２に出力し、対物レンズ２３１を移動させることで、集光箇所を移動させる。
ドライバ回路２４５は制御部２４３から出力された電圧値に応じた電流値をフィードモータ２４６に出力し、光ピックアップヘッド２３０全体を光ディスク１００の径方向に移動させることで、集光箇所を移動させる。
【００２２】
フィードモータ２４６は、ドライバ回路２４５によって駆動され、集光を光ディスク１００の半径方向に移動するための移動機構である。光ピックアップヘッド２３０が移動することで、発光素子２３３から光ディスク１００に照射されるレーザ光の集光箇所が移動する。
【００２３】
Ｂ．画像形成
光ディスク１００のレーベルへの画像形成方法について説明する。
図５は、画像形成装置２００を用いて光ディスク１００のレーベル面への画像形成を行う場合の手順の一例を表すフロー図である。
（１）光ディスク１００の設置・回転（ステップＳ１１）
レーベル面を下面とした状態で光ディスク１００をディスク保持部２２１に取り付ける。その後、光ディスク１００をスピンドルモータ２２２で回転させる。
【００２４】
（２）光ピックアップヘッド２３０の径方向移動（ステップＳ１２）
光ピックアップヘッド２３０をフィードモータ２４６で移動させ、光ディスク１００の径方向に移動させる。例えば、光ピックアップヘッド２３０を光ディスク１００の中心から半径ｒ１の場所に位置させる。光ディスク１００への画像の形成を開始させる位置にレーザ光を集光させるためである。なお、このときには発光素子２３３からのレーザ光の出射は行われていないのが通例である。
【００２５】
（３）光ディスク１００の円周方向でのドットの形成（ステップＳ１３）
光ディスク１００を回転した状態で発光素子２３３からのレーザ光を対物レンズ２３１でコーティング膜１２４に集光することでコーティング膜１２４が除去され、インク層１２３が現れることで画像の形成が行われる。具体的には、光ディスク１００の回転に合わせて、発光素子２３３を点滅することで、光ディスク１００の円周方向にドット（コーティング膜１２４がスポット状に除去または透明化された箇所）を形成する。画像（イメージ）をドットの集合として形成するためである。なお、ドットが連続すればライン（線）となる。
このとき、インク層１２３の領域の境界が光ディスク１００の円周に沿っていることから、光ディスク１００の回転中心とインク層１２３の領域境界の円周の中心とが一致していれば、ステップＳ１３で形成されるドットは同一の色彩のドット（例えば、Ｃのドット）とすることができる。即ち、Ｃ，Ｍ，Ｙのいずれかのドットが光ディスク１００の円周上に形成される。
ここで、点灯中のレーザ光の強度に大小をつけることでドットの大きさを変化させることができる。このようにすると、色の混合比を容易に調節できる。例えば、ＣとＭのドットが近接しているときに、ＣのドットをＭのドットより大きくすることで、ＣとＭのドットの大きさが同一の場合よりも、よりＣに近い色合いを出すことができる。このようにして、ドットの大きさを変化することで、色の混合比の配分が容易に行える。
【００２６】
（４）画像作成の完了の判断（ステップ１４）
画像の作成が完了したか否かを判断する。画像の作成が完了していなければ光ピックアップヘッド２３０をフィードモータ２４６で移動させることで、集光箇所を光ディスク１００の径方向に移動させ（ステップＳ１２）、光ディスク１００の円周方向でのドットの作成を行う。このときには、前回のステップＳ１３のときとは異なる色彩のドット（例えば、Ｍのドット）を形成することができる。
なお、光ピックアップヘッド２３０の移動のとき、発光素子２３３は必要に応じて、消灯、点灯のいずれかを行う。
【００２７】
以上のように、光ディスク１００のレーベル面１１２にレーザ光を集光させコーティング膜１２４の一部を除去しＣ，Ｍ，Ｙのインク層１２３を露出させることで、レーベル面１１２にイメージをカラーで形成することができる。この結果、レーベル面１１２に表現力が向上されたイメージを形成できる。
レーザの集光箇所を光ディスク１００の円周方向および径方向にスキャン（走査）させ、発光素子２３３からのレーザ光の出射の有無（ＯＮ／ＯＦＦ）を制御することで、ドットの集合として画像が形成される。
【００２８】
（第２の実施の形態）
図６は本発明の第２実施形態に係る光ディスク１００ａを表す上面図である。ここで、図６では光ディスク１００ａのコーティング膜１２４の一部を除去し、インク層１２３ａを露出させた状態を表している。図７は、このインク層１２３ａを拡大した状態を表す上面図である。
光ディスク１００ａでは、インク層１２３ａのＣ（シアン）、Ｍ（マゼンタ）、Ｙ（イエロー）が光ディスク１００ａの中心から放射状に（径方向に）配置されている。このため、円周方向にドットを形成する際にＣ，Ｍ，Ｙの色彩のドットを形成することができる。
これ以外の点では第１の実施形態と本質的に変わるものではないので詳細な説明を省略する。
【００２９】
（その他の実施形態）
本発明の実施形態は上記の実施形態に限られず拡張、変更可能であり、拡張、変更した実施形態も本発明の技術的範囲に含まれる。
【図面の簡単な説明】
【００３０】
【図１】本発明の第１実施形態に係る光ディスクを表す上面図である。
【図２】光ディスクのインク層を拡大した状態を表す上面図である。
【図３】光ディスクの断面を表す断面図である。
【図４】光ディスクのレーベルへの画像の形成を行う画像形成装置の構成を示すブロック図である。
【図５】画像形成装置を用いて光ディスクのレーベル面への画像形成を行う場合の手順の一例を表すフロー図である。
【図６】本発明の第２実施形態に係る光ディスクを表す上面図である。
【図７】光ディスクのインク層を拡大した状態を表す上面図である。
【符号の説明】
【００３１】
１００…光ディスク、１１１…データ面、１１２…レーベル面、１２１…基板、１２２…記録層、１２３…インク層、１２４…コーティング膜
【図１】
2005339642.tif 000003
【図２】
2005339642.tif 000004
【図３】
2005339642.tif 000005
【図４】
2005339642.tif 000006
【図５】
2005339642.tif 000007
【図６】
2005339642.tif 000008
【図７】
2005339642.tif 000009